(57)【要約】【課題】  電気、ガス、水道等のライフラインが損なわれた災害時に、水や電力の最小限の確保によって湯水を供給でき、また温水シャワーを安全に利用することができる簡易給湯器を提供する。【解決手段】  少なくとも貯水タンク２、ポンプ３及び制御部を内蔵した可搬な本体部１と、本体部とは分離し、外部熱源９により水を加熱可能な熱交換器５と、貯水タンクに溜めた湯水を外部に取り出す供給手段６と、を備え、ポンプにより水を貯水タンクと熱交換器の間で循環させて加熱し、適宜な温度となった後に供給手段から湯水を外部に取り出す。貯水タンクにポンプの吸入口を接続するとともに、ポンプの吐出口に３方バルブの入口側を接続し、３方バルブの第１出口側を熱交換器に接続するとともに、熱交換器から貯水タンクへ接続し、更に３方バルブの第２出口側を供給手段に接続する。【選択図】        図２
2018044760.tif 000002
【特許請求の範囲】
【請求項１】
少なくとも貯水タンク、ポンプ及び制御部を内蔵した可搬な本体部と、
前記本体部とは分離し、外部熱源により水を加熱可能な熱交換器と、
前記貯水タンクに溜めた湯水を外部に取り出す供給手段と、
を備え、前記ポンプにより水を前記貯水タンクと前記熱交換器の間で循環させて加熱し、前記供給手段から湯水を外部に取り出すことを特徴とする簡易給湯器。
【請求項２】
前記貯水タンクに前記ポンプの吸入口を接続するとともに、該ポンプの吐出口に３方バルブの入口側を接続し、該３方バルブの第１出口側を前記熱交換器に接続するとともに、該熱交換器から前記貯水タンクへ接続し、更に前記３方バルブの第２出口側を前記供給手段に接続してなる請求項１記載の簡易給湯器。
【請求項３】
前記貯水タンクに水温計を備え、前記貯水タンク内の水温を前記制御部がモニターし、前記制御部で設定した設定水温を超えると、外部熱源から独立した安全装置が可動する請求項１又は２記載の簡易給湯器。
【請求項４】
前記安全装置が、警告装置である請求項３記載の簡易給湯器。
【請求項５】
前記供給手段が、シャワーノズルである請求項１〜４何れか１項に記載の簡易給湯器。
【請求項６】
前記シャワーノズルに手元止水スイッチを備えてなる請求項５記載の簡易給湯器。
【請求項７】
前記供給手段が、開閉可能な蛇口である請求項１〜４何れか１項に記載の簡易給湯器。
【請求項８】
前記貯水タンクと３方バルブの入口側との間の流路に、湯水の流動を検知するフロースイッチを介在し、該フロースイッチで湯水の流動停止を前記制御部が検知した際に、前記ポンプを停止してなる請求項２記載の簡易給湯器。
【請求項９】
前記貯水タンクに水位センサーを備え、前記貯水タンク内の水位を前記制御部がモニターし、前記制御部で設定した最低水位を下回ると、前記制御部が警告装置によって警告してなる請求項１〜８何れか１項に記載の簡易給湯器。
【請求項１０】
前記３方バルブが３方電磁バルブである請求項２記載の簡易給湯器。
【請求項１１】
前記本体部の設置面の一部にキャスターを設けてなる請求項１〜１０何れか１項に記載の簡易給湯器。
【請求項１２】
制御基板と電源供給部を内蔵した可搬な制御ユニットと、
前記制御ユニットとは分離し、外部熱源により水を加熱可能な熱交換器を備えた加熱ユニットと、
貯水タンクの内部に配置することが可能なポンプと、
前記貯水タンクに溜めた湯水を外部に取り出す供給手段と、
を少なくとも備え、前記ポンプにより水を前記貯水タンクと前記熱交換器の間で循環させて加熱し、前記供給手段から湯水を外部に取り出すことを特徴とする簡易給湯器。
【請求項１３】
前記加熱ユニットは、筐体の内部に前記熱交換器を保持し、その下方に外部熱源を載置する収容空間を備えたものであり、該加熱ユニットが前記制御ユニットから独立してなる請求項１２記載の簡易給湯器。
【請求項１４】
前記熱交換器の付近にサーモスタットを設け、及び／又は、前記ポンプの一部に水温計を設け、該サーモスタットの通電による接点の開閉状態、及び／又は、水温計による水温認識によって前記制御ユニットに対する配線の接続状態を確認し、ポンプの動作を制御するとともに、警告を発する請求項１２又は１３記載の簡易給湯器。
【請求項１５】
前記ポンプの停止時に、前記サーモスタットと水温計からの情報により、各部品の正常な接続を認識し、不接続の場合に警告を発する請求項１２〜１４何れか１項に記載の簡易給湯器。
【請求項１６】
前記ポンプからの吐出ホースを、加熱段階では前記熱交換器に接続し、放水段階では前記供給手段に接続し、手動で吐出ホースを繋ぎ変える請求項１２〜１５何れか１項に記載の簡易給湯器。
【請求項１７】
前記供給手段がシャワーノズルである請求項１６記載の簡易給湯器。
【請求項１８】
前記供給手段からの湯水の放水時に、前記水温計からの情報により、前記ポンプの不接続を認識する請求項１４〜１７何れか１項に記載の簡易給湯器。
【請求項１９】
前記供給手段からの湯水の放水時に、前記サーモスタットからの情報により、加熱ユニットと制御ユニットの近接を認識し、警告を発する請求項１４〜１８何れか１項に記載の簡易給湯器。
【請求項２０】
少なくとも前記制御ユニット、供給手段、ポンプを一つの収納ボックスに収納可能である請求項１２〜１９何れか１項に記載の簡易給湯器。
【発明の詳細な説明】
【技術分野】
【０００１】
本発明は、災害時等に利用できる簡易給湯器に係わり、更に詳しくは外部熱源を使用して給湯可能な簡易給湯器に関するものである。
【背景技術】
【０００２】
地震や津波、台風による大きな災害が発生すると、電気、ガス、水道等のライフラインが数日〜数ヶ月止まる事態が起こる。この場合行われる支援には自衛隊による大規模な入浴設備の設置、または専門業者によるプロパンガスを用いるガス湯沸かし器を搭載した個室シャワーユニットの設置がある。しかし、従来のシャワーユニットでは一般人が入手しにくい燃料を使用していたため、災害時に使用しにくいものであった。これらの設備で対応しきれない人々でも、災害時に入浴やシャワーの利用が可能となる簡易給湯器が必要である。
【０００３】
従来から、災害時等における可搬式の簡易シャワー装置の提案は各種存在する。特許文献１，２には、外部電源の供給と水の供給を前提とし、水を流しながら電気ヒーター若しくは渦電流加熱装置などの電気式瞬間過熱手段を使って瞬時に加熱し、適温の湯水をシャワーノズルから供給する給湯装置が開示されている。しかし、電気式瞬間過熱手段は電力を多く消費するので、仮復旧したような状態で十分な電力を供給できない場合には利用しづらい。また、災害時には外部電源として自動車による発電も考慮されるが、やはり熱源として使用するのは、長時間は困難である。しかも、これらシャワー装置は設定温度になるように加熱装置を電子制御しているため、熱源を内部熱源にせざるを得ない。そのため、内部熱源、複雑な電子制御機構を組み込む必要があり、重量化、大型化せざるを得ず、貯水タンクを小さくせざるを得ず、しかも製造コストが高額になり、災害現場に大量導入しにくいという問題があった。さらに、内部熱源、特に電気式のものは加温時間が長いという問題があった。
【０００４】
一方、従来からカセット式ボンベを利用したガス燃焼方式の熱源を利用した簡易給湯装置も提案されている。特許文献３，４には、本体部にバーナーを備え、カセット式ボンベを装着し、バーナーによるガス燃焼熱で熱交換器を加熱し、熱交換器を通した水を加熱する構造の簡易温水シャワー装置が開示されている。しかし、これらの特許文献３，４記載のシャワー装置は、水を外部水源又は水槽から供給しながら、つまり一方向に流しながら、カセットコンロのガス燃焼熱で加熱する方式であるため、湯水の温度の調節は難しく、流量が少なくなれば高温になって非常に危険である。しかも、特許文献１、２は内部熱源の温度を電子制御によって調整しているため、このような電子制御機構を特許文献３．４のような、外部熱源が給湯器から独立したものに用いる事が出来なかった。
【先行技術文献】
【特許文献】
【０００５】
【特許文献１】特開２０１１−０７５２３３号公報
【特許文献２】特開２０１１−１４５０５１号公報
【特許文献３】実開昭６２−１１２０５６号公報
【特許文献４】実開平０２−０８４５８３号公報
【発明の概要】
【発明が解決しようとする課題】
【０００６】
簡易給湯器がＡＣ１００Ｖのみ対応だと、災害時等において、電力供給網の復旧を待つか、発電機を稼働させるしか使用できない。このような状況、あるいは大電力を利用できない状況では、カセットコンロによる熱源を利用して水を加熱することは有効である。一方、飲料水は災害時に真っ先に供給され、また飲料水でなければ比較的入手し易いので、水の確保には困らないことが多い。
【０００７】
そこで、本発明が前述の状況に鑑み、解決しようとするところは、電気、ガス、水道等のライフラインが損なわれた災害時に、水や電力の最小限の確保によって湯水を供給でき、また温水シャワーを安全に利用することができ、複雑な構造にする事なく、製造コストを抑える事が可能で、軽量、コンパクトかつ持ち運びが容易で、加温時間が短い簡易給湯器を提供する点にある。
【課題を解決するための手段】
【０００８】
本発明は、前述の課題解決のために、以下に構成する簡易給湯器を提供する。
【０００９】
（１）
少なくとも貯水タンク、ポンプ及び制御部を内蔵した可搬な本体部と、前記本体部とは分離し、外部熱源により水を加熱可能な熱交換器と、前記貯水タンクに溜めた湯水を外部に取り出す供給手段と、を備え、前記ポンプにより水を前記貯水タンクと前記熱交換器の間で循環させて加熱し、前記供給手段から湯水を外部に取り出すことを特徴とする簡易給湯器。
【００１０】
（２）
前記貯水タンクに前記ポンプの吸入口を接続するとともに、該ポンプの吐出口に３方バルブの入口側を接続し、該３方バルブの第１出口側を前記熱交換器に接続するとともに、該熱交換器から前記貯水タンクへ接続し、更に前記３方バルブの第２出口側を前記供給手段に接続してなる（１）記載の簡易給湯器。
【００１１】
（３）
前記貯水タンクに水温計を備え、前記貯水タンク内の水温を前記制御部がモニターし、前記制御部で設定した設定水温を超えると、外部熱源から独立した安全装置が可動する（１）又は（２）記載の簡易給湯器。
【００１２】
（４）
前記安全装置が、警告装置である（３）記載の簡易給湯器。
【００１３】
（５）
前記供給手段が、シャワーノズルである（１）〜（４）何れか１に記載の簡易給湯器。
【００１４】
（６）
前記シャワーノズルに手元止水スイッチを備えてなる（５）記載の簡易給湯器。
【００１５】
（７）
前記供給手段が、開閉可能な蛇口である（１）〜（４）何れか１に記載の簡易給湯器。
【００１６】
（８）
前記貯水タンクと３方バルブの入口側との間の流路に、湯水の流動を検知するフロースイッチを介在し、該フロースイッチで湯水の流動停止を前記制御部が検知した際に、前記ポンプを停止してなる（２）記載の簡易給湯器。
【００１７】
（９）
前記貯水タンクに水位センサーを備え、前記貯水タンク内の水位を前記制御部がモニターし、前記制御部で設定した最低水位を下回ると、前記制御部が警告装置によって警告してなる（１）〜（８）何れか１に記載の簡易給湯器。
【００１８】
（１０）
前記３方バルブが３方電磁バルブである（２）記載の簡易給湯器。
【００１９】
（１１）
前記本体部の設置面の一部にキャスターを設けてなる（１）〜（１０）何れか１に記載の簡易給湯器。
【００２０】
（１２）
制御基板と電源供給部を内蔵した可搬な制御ユニットと、
前記制御ユニットとは分離し、外部熱源により水を加熱可能な熱交換器を備えた加熱ユニットと、
貯水タンクの内部に配置することが可能なポンプと、
前記貯水タンクに溜めた湯水を外部に取り出す供給手段と、
を少なくとも備え、前記ポンプにより水を前記貯水タンクと前記熱交換器の間で循環させて加熱し、前記供給手段から湯水を外部に取り出すことを特徴とする簡易給湯器。
【００２１】
（１３）
前記加熱ユニットは、筐体の内部に前記熱交換器を保持し、その下方に外部熱源を載置する収容空間を備えたものであり、該加熱ユニットが前記制御ユニットから独立してなる（１２）記載の簡易給湯器。
【００２２】
（１４）
前記熱交換器の付近にサーモスタットを設け、及び／又は、前記ポンプの一部に水温計を設け、該サーモスタットの通電による接点の開閉状態、及び／又は、水温計による水温認識によって前記制御ユニットに対する配線の接続状態を確認し、ポンプの動作を制御するとともに、警告を発する（１２）又は（１３）記載の簡易給湯器。
【００２３】
（１５）
前記ポンプの停止時に、前記サーモスタットと水温計からの情報により、各部品の正常な接続を認識し、不接続の場合に警告を発する（１２）〜（１４）何れか１に記載の簡易給湯器。
【００２４】
（１６）
前記ポンプからの吐出ホースを、加熱段階では前記熱交換器に接続し、放水段階では前記供給手段に接続し、手動で吐出ホースを繋ぎ変える（１２）〜（１５）何れか１に記載の簡易給湯器。
【００２５】
（１７）
前記供給手段がシャワーノズルである（１６）記載の簡易給湯器。
【００２６】
（１８）
前記供給手段からの湯水の放水時に、前記水温計からの情報により、前記ポンプの不接続を認識する（１４）〜（１７）何れか１に記載の簡易給湯器。
【００２７】
（１９）
前記供給手段からの湯水の放水時に、前記サーモスタットからの情報により、加熱ユニットと制御ユニットの近接を認識し、警告を発する（１４）〜（１８）何れか１に記載の簡易給湯器。
【００２８】
（２０）
少なくとも前記制御ユニット、供給手段、ポンプを一つの収納ボックスに収納可能である（１２）〜（１９）何れか１に記載の簡易給湯器。
【発明の効果】
【００２９】
以上にしてなる本発明の簡易給湯器は、少なくとも貯水タンク、ポンプ及び制御部を内蔵した可搬な本体部と、前記本体部とは分離し、外部熱源により水を加熱可能な熱交換器と、前記貯水タンクに溜めた湯水を外部に取り出す供給手段と、を備え、前記ポンプにより水を前記貯水タンクと前記熱交換器の間で循環させて加熱し、適宜な温度となった後に前記供給手段から湯水を外部に取り出すので、電気、ガス、水道等のライフラインが損なわれた災害時等に、水や電力の最小限の確保によって湯水を供給でき、また温水シャワーを安全に利用することができる。また、熱源を外部熱源とする事で給湯器本体を軽量、コンパクトで、しかも持ち運びが容易となり、しかも製造コストを抑える事ができる。さらに、外部熱源を電気式の内部熱源よりも高温加熱可能な熱源とした場合、加温時間を短縮できる。
【００３０】
設定温度以上の水温になってしまった場合には、外部熱源から独立した安全装置によって火傷を防止することができる。また、安全装置は外部熱源から独立しているので、複雑な電子制御機構を組み込む必要がなく、簡易給湯器の設計を複雑とせず、製造コストを抑える事ができる。また、水位センサーからの信号で貯水タンク内の水の残量を警告装置で警告するので、簡単に確認することができ、使用中に湯がなくなるという不測の事態を防ぐことができる。また、外部熱源として、普及しているカセットコンロを用いることができ、またカセットコンロの構造によらないので、どのようなカセットコンロでも使用でき、災害時の支援物資を選ばない。また、キャスターにより持ち運びが容易になる。
【００３１】
制御部やポンプ、フロースイッチ、３方電磁バルブ、更には温度センサー、水位センサー、警告装置等は、比較的小電力で駆動させることができるので、使用環境に合わせてＡＣ１００ＶでもＤＣ１２Ｖのバッテリー電源、あるいは自動車の電源からでも使用できる。
【００３２】
また、簡易給湯器が、制御基板と電源供給部を内蔵した可搬な制御ユニットと、前記制御ユニットとは分離し、外部熱源により水を加熱可能な熱交換器を備えた加熱ユニットと、貯水タンクと、前記貯水タンクの内部に配置するポンプと、前記貯水タンクに溜めた湯水を外部に取り出す供給手段と、を備え、前記ポンプにより水を前記貯水タンクと前記熱交換器の間で循環させて加熱し、前記供給手段から湯水を外部に取り出すようにすれば、制御ユニットが温水や熱源から独立し、制御ユニットを操作する際、熱源や温水に近づく事がなく、安全性を確保できる。また、制御ユニットを熱源から遠ざける事が可能である。更に、制御ユニット内に水路を作らない構成であるので、最小限のユニットで構成され、低コスト、省スペースを実現し、製造も容易である。更に、制御ユニット３５が、加熱ユニット、貯水タンク、シャワーノズルなどの供給手段から独立しており、制御ユニットに水がかかって制御機構が故障する事を防ぐことができる。
【００３３】
更に、前記熱交換器の付近にサーモスタットを設けるとともに、前記ポンプの一部に水温計を設け、該サーモスタットの通電による接点の開閉状態及び水温計による水温認識によって前記制御ユニットに対する配線の接続状態を確認し、ポンプの動作を制御するとともに、警告を発するようにすれば、水温計の認識やサーモスタットの電源供給を、スイッチセンサーに代用する事で、低コスト、省スペース、製造容易性を実現できる。
【図面の簡単な説明】
【００３４】
【図１】本発明の第１実施形態に係る簡易給湯器の全体斜視図である。
【図２】同じく縦断面図である。
【図３】同じく横断面図である。
【図４】説明用配管図である。
【図５】制御パネルの例を示す正面図である。
【図６】本発明の第２実施形態に係る簡易給湯器の全体斜視図である。
【図７】同じく要部の説明用断面図である。
【図８】簡易給湯器の接続段階のブロック図である。
【図９】簡易給湯器の加熱段階のブロック図である。
【図１０】簡易給湯器の放水段階のブロック図である。
【発明を実施するための形態】
【００３５】
次に、添付図面に示した実施形態に基づき、本発明を更に詳細に説明する。図１は本発明の簡易給湯器を示し、図２〜図５は各部の詳細を示し、図中１は本体部、２は貯水タンク、３はポンプ、４は制御部、５は熱交換器、６は供給手段、７は３方バルブ、７はフロースイッチ、９は外部熱源（カセットコンロ）をそれぞれ示している。
【００３６】
本発明に係る簡易給湯器は、少なくとも貯水タンク２、ポンプ３及び制御部４を内蔵した可搬な本体部１と、前記本体部１とは分離し、外部熱源９により水を加熱可能な熱交換器５と、前記貯水タンク２に溜めた湯水を外部に取り出す供給手段６と、を備え、前記ポンプ３により水を前記貯水タンク２と前記熱交換器５の間で循環させて加熱し、適宜な温度となった後に前記供給手段６から湯水を外部に取り出すようになっている。
【００３７】
更に詳しくは、図２〜図４に示すように、前記貯水タンク２に前記ポンプ３の吸入口１０を配管１１にて接続するとともに、該ポンプ３の吐出口１２に３方バルブ７の入口側１３を配管１４にて接続し、該３方バルブ７の第１出口側１５を前記熱交換器５に配管１６にて接続するとともに、該熱交換器５から前記貯水タンク２へ配管１７にて接続し、更に前記３方バルブ７の第２出口側１８を前記供給手段６に配管１９にて接続している。
【００３８】
更に、前記貯水タンク２と３方バルブ７の入口側１３との間の流路に、即ち配管１４の途中に湯水の流動を検知するフロースイッチ８を介在し、該フロースイッチ８で湯水の流動停止を前記制御部４が検知した際に、前記ポンプ３を停止するようになっている。
【００３９】
前記本体部１は、底部に前記ポンプ３、前記３方バルブ７、前記フロースイッチ８と各種配管及び内部電源２０を格納し、上部に前記貯水タンク２を格納し、正面には前記制御部４の制御パネル２１を配置している。更に、前記本体部１を可搬とするために、該本体部１の設置面の一部にキャスター２２を設けている。更に、前記本体部１の一側面の上部には、前記貯水タンク２に水を供給するための注水口２３を設けている。
【００４０】
そして、前記供給手段６が、シャワーノズル６Ａであることが好ましく、更に前記シャワーノズル６Ａに図示しない手元止水スイッチを備え、手元で湯水の放出、停止を制御できることがより好ましい。そして、この場合、前記配管１９は、長尺のフレキシブルホースで構成し、使用しない場合には、前記本体部１の側面下部に設けた収納部２４にフレキシブルホース１９を巻回状態で前記シャワーノズル６Ａとともに格納することができるようにしている。ここで、前記シャワーノズル６Ａに備えた手元止水スイッチを操作して湯水の放出を強制的に停止すると、前記フロースイッチ８が流動停止を検知して、前記ポンプ３の駆動を停止させるので、該ポンプ３に過負荷がかかるのを防止できる。また、前記供給手段６が、開閉可能な蛇口６Ｂ（図示せず）であっても良い。
【００４１】
そして、図１及び図２に示すように、前記本体部１の上面は、外部熱源９、代表的にはカセットコンロ９を乗せる載置部２５となっている。前記本体部１の載置部２５に乗せたカセットコンロ９の上に前記熱交換器５を載置し、該カセットコンロ９のガス燃焼熱で熱交換器５の中を通る湯水を加熱するのである。ここで、前記本体部１の底部から引き出した配管１６，１７を前記熱交換器５に接続するが、該配管１６，１７は取り回しの容易性からフレキシブルホースで構成することが好ましい。
【００４２】
前記貯水タンク２には、図２に示すように、水温計２６を備え、前記貯水タンク２内の水温を前記制御部４がモニターし、前記制御部４で設定した設定水温を超えると、前記制御部４が前記ポンプ３の駆動を停止するとともに、図５に示すように、警告装置２７（ＬＥＤの点灯）によって「水温に注意して下さい」、「火を消してください」等の警告し、さらにブザー音を発するような安全装置が作動するようになっている。このように、設定水温を超えた事を警告装置２７によって使用者が認識し、外部熱源の火を止める事で、設定水温以上の熱い湯水がシャワーノズル６Ａから放出することがないので、火傷の心配が無く安全である。尚、安全装置は警告装置以外にも、ポンプ３の駆動を停止する緊急停止装置でもよく、外部から冷水を供給する給水手段であっても良く、これらの装置を組み合わせても良い。これらのうち、警告装置は外部熱源による熱交換器５の空焚きを起こすことなく、安全性が高く、製造コストが抑えられる点で優れている。
【００４３】
また、前記貯水タンク２には、図２に示すように、水位センサー２８，２９を備え、前記貯水タンク２内の水位を前記制御部４がモニターし、前記制御部４で設定した最低水位を下回ると、前記制御部４が警告装置２７によって警告するようになっている。ここで、前記水位センサー２８は上部に、前記水位センサー２９は最下部に設け、前記水位センサー２８が水面を検知したときに、前記警告装置２７で「水を入れてください」と警告し、前記水位センサー２９が水面（最低水位）を検知したときに、前記警告装置２７で「水が残りわずかです」と警告し、さらにブザー音を発するような安全装置が作動するようになっている。
【００４４】
前記３方バルブ７は、手動で２流路を切り替える機械式のバルブでも良いが、制御パネル２１で切り替え操作が可能という理由で、ソレノイド駆動等の電磁力で２流路を切り替える３方電磁バルブを採用している。また、ポンプ３を２つ設ける事で、２方バルブを採用する事もできるが、軽量化及びコンパクト化という理由でポンプ３が１つで良い３方バルブが望ましい。
【００４５】
前記ポンプ３は、渦巻ポンプ、タービンポンプ、プロペラポンプ、摩擦ポンプ、往復動ポンプ、回転ポンプ、ギアポンプ、偏心ポンプ、ネジポンプ等、何でも良い。ポンプ部とモータとの接続部分に軸シールを必要とせず、液漏れが生じない点で、マグネット式渦巻きポンプが最も望ましい。
【００４６】
前記モータ３、制御部４、３方電磁バルブ７、フロースイッチ８、水温計２６、水位センサー２８，２９等に電力を供給するために、本実施形態では前記内部電源２０を採用したが、ＡＣ１００ＶやＤＣ１２Ｖ等の外部電源を利用できることも好ましい。外部電源のほうが、本体部１がコンパクトかつ軽量になるため、持ち運びが容易となり、望ましい。内部電源２０にする場合、蓄電池式、太陽電池等が採用できる。外部電源の場合は、被災地にある発電機を用いる事ができる。
【００４７】
前記制御パネル２１は、図５に示すように、電源のメインスイッチ３０と、前記貯水タンク２内の水温を前記水温計２６で検出してモニター表示するタンク内水温３１と、水温をデジタル設定可能な設定水温３２と、前記３方電磁バルブ７を操作する切り替えスイッチ３３と、前記警告装置２７とを配置している。
【００４８】
前記切り替えスイッチ３３は、「止」、「湯沸し」、「シャワー」に切り替えることが可能なつまみ式のロータリースイッチであり、作業性が良く、占有面積が狭い点で好ましいが、必要に応じて個別のスイッチを３つ設ける事も可能である。この場合、ロータリースイッチよりも防水性に優れる。前記切り替えスイッチ３３を「止」にした場合には、前記モータ３の駆動を停止し、「湯沸し」にした場合には、前記３方電磁バルブ７の入口側１３と第１出口側１５が連通した状態、「シャワー」にした場合には、前記３方電磁バルブ７の入口側１３と第２出口側１８が連通した状態となる。
【００４９】
前記制御パネル２１に設けた警告装置２７は、本実施形態では各警告を表示した位置のＬＥＤが点灯し、さらにブザー音を発するよう構成としたが、その他に画像表示、臭い、筐体の一部の色変化、水質の変化、警告灯（パトランプ）等を用いても良く、またそれらを複合化しても良い。また、警告内容に応じてブザー音やＬＥＤ表示を変える事も可能である。
【００５０】
前記外部熱源９として、本実施形態ではカセットコンロを採用したが、焚き火や炭火、発熱剤、更には太陽熱を用いても良い。更に、当然ではあるが、電力の供給が完全復旧した場合には電熱ヒーター、ＩＨヒーター等を利用することも可能である。前記外部熱源９をカセットコンロとする場合、使用時にカセットコンロ９を所定位置にセットするため、装置本体部１を軽量かつコンパクトに設計でき、携帯を容易にする。カセットコンロ９は災害地に必ずあるもので、改めて準備する必要がないという利点もある。しかし、カセットコンロ９は、サーモスタット等による温度制御ができないので、過加熱時にはポンプ３を作動させない機構により、安全を確保した。
【００５１】
前記熱交換器５は、プレート式熱交換器、シェル＆チューブ式熱交換器、フィンチューブ式熱交換器等が採用可能だが、気体熱源から液体への熱交換率に優れているとの理由で、フィンチューブ式が良い。また、前記熱交換器５の材質は、銅、ステンレス、アルミ、鉄等の金属を用いる事が可能だが、耐熱性、耐劣化性、熱伝導性、安全性の面から銅が望ましい。
【００５２】
また、前記外部熱源９と熱交換器５を本体部１の載置部２５に載せたが、これらを地面に置いても良く、状況に応じて適宜変更可能である。この場合、前記熱交換器５にやけど防止カバーを設ける事も可能である。前記本体部１を構成する筐体に持ち手を形成する事で、筐体を手押し車のように運搬する事が可能である。この場合、前記キャスター２２は何個付けても良いが、設置時の安定性で２個が良く、その他、安定用の接地部３４を設置面に設ける。前記本体部１をキャスター２２で移動させる時には、該本体部１を傾けて前記接地部３４を浮かせる。
【００５３】
本実施形態では、前記熱交換器５を、ポンプ３、制御部４、各種センサー２６，２７，２８、バルブ７等の電子機器から離れて設置するので、各種電子機器が、熱交換器５の近傍で発生する発熱の影響を受けない。また、本発明の簡易給湯器は、屋外での使用を想定しているので、防塵・防水の保護等級ＩＰ５５を満たすように設計されている。
【００５４】
最後に、本発明の簡易給湯器の動作について説明する。メインスイッチ３０を「入」にすると、タンク内水温３１と設定水温３２が点灯する。次に、前記切り替えスイッチ３３のつまみを回して「湯沸し」にすると、前記３方電磁バルブ７の入口側１３と第１出口側１５が連通し、前記ポンプ３が駆動して貯水タンク２から熱交換器５へ水が供給され、この際にカセットコンロ９を点火して、加熱された水は貯水タンク２に戻り、設定水温３２で設定した温度になるまで循環加熱される。この際、前記水位センサー２８，２９がＯＮ、つまり水面を検知していると、ポンプ３が駆動せず、「水を入れてください」の警告のＬＥＤが点灯する。貯水タンク２の注水口２３から注水して水位が上昇し、水位センサー２８，２９がＯＦＦになると、警告ＬＥＤが消え、ポンプ３が駆動する。
【００５５】
次に、前記切り替えスイッチ３３のつまみを回して「シャワー」にすると、前記３方電磁バルブ７の入口側１３と第２出口側１８が連通し、ポンプ３が駆動し、前記シャワーノズル６Ａから設定水温の湯水が放出される。このとき、前記水位センサー２８，２９が二つともＯＮ（貯水タンク２の最低水位以下の状態）だとポンプ３は駆動せず、「水を入れてください」の警告ＬＥＤが点灯する。貯水タンク２に水が入り、両方の水位センサー２８，２９がＯＦＦになると、警告ＬＥＤが消灯し、ポンプ３が駆動する。このとき、水温が６０℃よりも高いと、ポンプ３は駆動しない。シャワーを使用して貯水タンク２の水位が低下すると、まず上の水位センサー２８がＯＮになって「水を入れてください」と警告ＬＥＤが点灯するが、ポンプ３は停止せずに、湯水はシャワーノズル６Ａから放出され続ける。そして、更に水位が低下して下の水位センサー２９もＯＮになると、「水が残りわずかです」の警告ＬＥＤが点灯するとともに、ポンプ３が停止し、シャワーノズル６Ａからの湯水の放出は停止する。
【００５６】
前記制御パネル２１の設定水温３２の横のボタン△▽を押して自分の好みの水温を設定できる。そして、貯水タンク２内の水温が設定温度付近になると、警告装置２７によって警告が行われるので、使用者は安心して使用することができる。更に、貯水タンク２の内部の水温や、水位を制御パネル２１に表示することができるので、状態把握が容易である。そして、何よりも外部熱源９を用いるので、その場で使用できる外部熱源９を選択して使用でき、特にカセットコンロ９はたいていの災害現場で用意できるので、便利である。
【００５７】
次に、図６〜図１０に基づいて、本発明の簡易給湯器の第２実施形態を説明する。本実施形態の簡易給湯器は、災害時等に簡易温水シャワーとして使用できるように、また過酷な使用環境を考慮して、制御基板を熱源や水周り機器から離すことを第１目的とし、コンパクトに収納保管でき、持ち運びも容易になることを第２目的として開発されている。更には、汎用部品を多く使い、コスト低減を図っている。本実施形態の簡易給湯器は、図６〜図８に示すように、制御ユニット３５、加熱ユニット３６、貯水タンク３７、ポンプ３８及び供給手段（シャワーノズル）３９から概略構成されている。
【００５８】
前記制御ユニット３５には、制御基板４０と電源供給部（バッテリー）４１が内蔵され、操作パネル４２には、操作スイッチ４３や警告手段４４を備えている。制御ユニット３５は、防水機能を有している方がよく、携帯性に優れる防水ボックスに制御ユニットを内蔵していることが望ましい。前記バッテリー４１は、災害による停電の前に外部電源より充電していることを前提とするが、太陽電池やその他の発電機器から充電することも可能である。また、前記警告手段４４は、ブザー、ＬＥＤ等によるランプ表示、画像表示パネル、臭い、筐体の一部の色変化、水質の変化、警告灯（パトランプ）等が用いられる。警告内容に応じてブザー音やＬＥＤ表示を変えることも可能である。
【００５９】
画像表示パネルは、縦１．５〜１０．０ｃｍ、横５〜１５ｃｍの大きさが良く、液晶表示、ＬＥＤディスプレイ、有機ＥＬディスプレイ等何でも良い。このうち、液晶表示は屋外であっても表示が目視しやすいという点で優れる。また、有機ＥＬ（ＯＬＥＤ）ディスプレイは消費電力が少なく、視野角が広いという点で優れる。本実施形態では、ドット数：１００×１６ドットの有機ＥＬを採用したグラフィックディスプレイモジュールを採用した。
【００６０】
前記加熱ユニット３６は、耐熱・耐火性の架台４５と、それに組み込んだ熱交換器４６と、外部熱源としてのカセットコンロ４７と、サーモスタット４８とからなる。前記架台４５は、前記熱交換器４６を保持し、その下方にカセットコンロ４７を載置する収容空間を備えた筐体４９と、該筐体４９の下方四隅に着脱可能に取付ける支脚５０からなる。前記筐体４９は、熱交換器４６の周囲に耐火ボード等で形成した耐火部を設けると、安全性に優れる。また、耐火ボードを不燃材料とした場合、耐火ボードを二重構造にすると、安全性に優れる。
【００６１】
前記支脚５０を筐体４９に取付けた状態で前記貯水タンク３７を該筐体４９の下方空間に設置可能であり、また支脚５０は取外して前記筐体４９の内部に収容することができるようにうなっている。尚、前記支脚５０は必ずしも必要ではなく、前記筐体４９を直接地面や床面に載置し、その横に貯水タンク３７を設置しても構わない。
【００６２】
前記カセットコンロ４７は、他の目的で通常使用しているものを代用できる。前記サーモスタット４８は、前記熱交換器４６の適所に接触状態で固定し、加熱状態をモニターするためのもので、その電源供給コードＣ１を前記制御ユニット３５に接続して使用する。本実施形態で使用したサーモスタット４８は、低温では接点が閉じ、温度上昇で接点が開くタイプのバイメタルサーモスタットを採用した。前記サーモスタット４８の電源供給コードＣ１は、カセットコンロ４７等の外部熱源の火を目視できるという理由で２００〜３０００ｍｍ、望ましくは３００~１０００ｍｍが好ましい。ここで、サーモスタット４８は、高温状態と電源供給コードＣ１を制御ユニット３５に接続していない場合の両方とも該制御ユニット３５では「開」と認識する。逆に、制御ユニット３５で「閉」と認識すれば、必ずサーモスタット４８は制御ユニット３５に接続されていることを意味する。
【００６３】
前記貯水タンク３７には、ポリタンク、バケツ、ドラム缶、ビニル袋、コンテナ等が採用できる。尚、蓋を有するポリタンクにあっては、後述のポンプ３８を投入するため、十分に広口の開口部を備えたものとする。
【００６４】
前記ポンプ３８は、例えば、渦巻きポンプ、カスケードポンプ、ギアポンプ、ピストンポンプのうち、水中で使えることができ、比較的安価な渦巻きポンプを用いるのが望ましい。前記貯水タンク３７の中に溜めた水に沈めた状態で使用する。
【００６５】
前記ポンプ３８を前記貯水タンク３７の中に入れる際に、同時に水温計５１も入れるようになっている。そのため、前記水温計５１は、ポンプ３８に外付けされていれても、ポンプ３８に内蔵していても良い。前記ポンプ３８の電源供給コードＣ２は、前記制御ユニット３５に接続した使用する。水温計５１については、測定範囲が１８０℃までの水中で使用可能な熱電対を採用した。熱電対であるため、水温認識に電力を要しない。尚、前記水温計５１の接続コードは、前記電源供給コードＣ２と束ねている、あるいは前記電源供給コードＣ２に内蔵されているとし、図示していない。従って、前記電源供給コードＣ２が制御ユニット３５に接続されてなければ、水温計５１からの水温情報も入手できないことになる。
【００６６】
前述の簡易給湯器は、通常は主要部品やユニットを収納ボックスに入れて保管する。一つの収納ボックスに、少なくとも前記制御ユニット３５、シャワーノズル３９、ポンプ３８を収納可能とする。それにより、携帯容易性に優れる。更に、収納ボックスに、加熱ユニット３６の筐体４９を収納できるようにすれば、筐体４９の収容空間に熱交換器４６とともに制御ユニット３５やポンプ３８、シャワーノズル３９も収納できるようになり、更に携帯性に優れる。収納ボックスは、人間が携帯可能な大きさ、重量であれば何でもよく、５〜２５ｋｇ、体積１２０Ｌ以下であるのが好ましい。収納ボックスの形態は直方体、円柱、球形等、何でも良いが、収納スペースと設置性から、直方体が望ましい。
【００６７】
本実施形態では、収納ボックスに前記筐体４９を収容可能とし、該筐体４９のカセットコンロ４７を設置する空間に前記制御ユニット３５とポンプ３８やシャワーノズル３９及び各種配線、配管部品を格納し、更に支脚５０も格納し、必要な器具を全てコンパクトに格納し、保管や搬送ができるようになっている。
【００６８】
図７に示すように、前記熱交換器４６には入口管５２と出口管５３を備え、前記ポンプ３８を前記貯水タンク３７の中に投入した状態で、該ポンプ３８の吐出ホース５４を前記熱交換器４６の入口管５２にコネクターで着脱自在に接続し、一方の出口管５３には帰還ホース５５をコネクターで着脱自在に接続し、該帰還ホース５５の端部は前記貯水タンク３７の中に挿入している。それにより、前記ポンプ３８に電源を供給して駆動させると、貯水タンク３７の水又は湯水は、吐出ホース５４から熱交換器４６を通した後、帰還ホース５５から貯水タンク３７に戻り、加熱段階における循環系を構成する。前記カセットコンロ４７で熱交換器４６を加熱し、貯水タンク３７の内部の湯水が適温になると、前記吐出ホース５４を熱交換器４６から外し、シャワーノズル３９に付け替える。この際、前記帰還ホース５５も熱交換器４６から外せば、貯湯状態の貯水タンク３７と制御ユニット３５をシャワールーム等の適所に運ぶことができ、前記ポンプ３８に電源を供給して駆動させ、貯水タンク３７の中の湯水をシャワーノズル３９から吐出することができる。これが放水段階である。勿論、前記帰還ホース５５を熱交換器４６に接続したままでも、シャワーは使用可能である。
【００６９】
次に、図８〜図１０に基づいて、本実施形態の簡易給湯器の制御について説明する。先ず、本実施形態の簡易給湯器は、使用前にセットして各種配線、配管を行う必要がある。この最初の準備段階が接続段階である（図８参照）。次に、加熱段階（図９参照）、放水段階（図１０参照）に続くが、それぞれの段階毎に安全機能が備わっている。
【００７０】
前記操作パネル４２には、操作スイッチ４３として、主電源のＯＮ・ＯＦＦスイッチ、ポンプ３８の電力供給スイッチがあり、ポンプ３８の電力供給スイッチはモード選択スイッチとなっており、「停止」、「湯沸し」、「シャワー」の三つのモードを選択でき、「停止」はＯＦＦ、「湯沸し」と「シャワー」はＯＮである。制御のための入力としては、この２つのスイッチの状態信号と、サーモスタット４８の開閉信号及び水温計５１による水温信号である。これら４種類の入力信号の組み合わせによって、前記警告手段４４の出力内容が変わる。警告手段４４の出力は、ＬＥＤランプの点滅、ブザーの発音、画像表示パネルの文字表示である。ここで、このモード選択スイッチは、「停止」を中心に、左右の傾動又は時計周りと半時計周りの回転で「湯沸し」と「シャワー」を選択できることが望ましい。そうすれば、「湯沸し」から「シャワー」へ切り替える際に、必ず「停止」になるので、その状態で警告手段４４による注意を喚起できる。
【００７１】
このように、本実施形態の簡易給湯器は、制御基板４０と電源供給部４１を内蔵した可搬な制御ユニット３５と、前記制御ユニット３５とは分離し、外部熱源４７により水を加熱可能な熱交換４６器を備えた加熱ユニット３６と、貯水タンク３７と、前記貯水タンク３７の内部に配置するポンプ３８と、前記貯水タンク３７に溜めた湯水を外部に取り出す供給手段３９と、を備え、前記ポンプ３８により水を前記貯水タンク３７と前記熱交換器４６の間で循環させて加熱し、前記供給手段３９から湯水を外部に取り出すことを特徴とする。
【００７２】
更に詳しくは、前記加熱ユニット３６は、筐体４９の内部に前記熱交換器４６を保持し、その下方に外部熱源４７を載置する収容空間を備えたものであり、該加熱ユニット３６が前記制御ユニット３５から独立している。それにより、制御ユニット３５が温水や熱源から独立し、制御ユニット３５を操作する際、熱源や温水に近づく事がなく、安全性を確保できる。また、制御ユニット３５を熱源から遠ざける事が可能である。更に、制御ユニット３５内に水路を作らない構成であるので、制御ユニット３５内で漏水する恐れがなく、最小限のユニットで構成され、低コスト、省スペースを実現し、製造も容易である。更に、制御ユニット３５が、加熱ユニット３６、貯水タンク３７、シャワーノズル３９から独立しており、制御ユニット３５に水がかかって制御機構が故障する事を防ぐことができる。
【００７３】
そして、前記熱交換器４６の付近にサーモスタット４８を設けるとともに、前記ポンプ３８の一部に水温計５１を設け、該サーモスタット４８の通電による接点の開閉状態及び水温計５１による水温認識によって前記制御ユニット３５に対する配線の接続状態を確認し、ポンプ３８の動作を制御するとともに、警告を発するのである。水温計の認識やサーモスタットの電源供給を、スイッチセンサーに代用する事で、低コスト、省スペース、製造容易性を実現できる。
【００７４】
前記ポンプ３８の停止時に、前記サーモスタット４８と水温計５１からの情報により、各部品の正常な接続を認識し、不接続の場合に警告を発するようにしている。つまり、水温計５１の信号の不認識、又はポンプ３８の電気供給の不認識により、ポンプ３８の制御ユニット３５への不接続を認識し、サーモスタット４８への通電がない点でサーモスタット４８の不接続を認識するのである。
【００７５】
前記ポンプからの吐出ホースを、加熱段階では前記熱交換器に接続し、放水段階では前記供給手段に接続し、手動で吐出ホースを繋ぎ変えるようにしている。このように、加熱段階と放水段階でポンプからの吐出ホースを手動で繋ぎ変えるため、操作を誤って過剰加熱になった熱湯がシャワーノズル３９から放水される可能性がない。また、加熱ユニット３６が制御ユニット３５から物理的に分離しているため、加熱段階での水漏れによる制御ユニット３５の故障が軽減する。
【００７６】
前記供給手段３９からの湯水の放水時に、前記水温計５１からの信号の不認識、又はポンプ３８の電気供給の不認識により、前記ポンプ３８の制御ユニット３５への不接続を認識するようにしている。つまり、ポンプ３８に付属した水温計５１をスイッチセンサーに代用する事で、低コスト、省スペース、製造容易性を実現できる。
【００７７】
前記供給手段３９からの湯水の放水時に、前記サーモスタット４８からの情報により、加熱ユニット３６と制御ユニット３５の近接を認識し、警告を発するようにしている。つまり、放水時に、サーモスタット４８の通電があると、加熱ユニット３６と制御ユニット３５を連結する電源供給コードＣ１の接続によって加熱ユニット３６と制御ユニット３５が近接していることを認識するのである。一方、加熱ユニット３６と制御ユニット３５が離れて設置されている場合は、電源供給コードＣ１は加熱ユニット３６と制御ユニット３５を連結していないため、サーモスタット４８の通電がない。つまり、サーモスタット４８の通電の不認識によって、加熱ユニット３６と制御ユニット３５が離れて設置されている事を認識できる。サーモスタット４８の電源供給をスイッチセンサーに代用する事で、低コスト、省スペース、製造容易性を実現できる。
【００７８】
＜停止モードにおける警告表示＞
先ず、図８に示すように、サーモスタット４８の電源供給コードＣ１とポンプ３８の電源供給コードＣ２を制御ユニット３５に接続し、ポンプ３８を貯水タンク３７の中に投入する。そして、主電源がＯＮで、モード選択スイッチは「停止」を選択する。このとき、ポンプ３８はいかなる状態でも動作しない。前記水温計５１はポンプ３８に内蔵され、その信号コードは電源供給コードＣ２に多芯状態で一体となったものとする。また、前記サーモスタット４８は、低温状態で「閉」、高温状態で「開」となるもので、画像表示パネルでは安全装置と表示する。
【００７９】
このとき制御ユニット３５でサーモスタット４８が「開」と認識し、水温計からの入力が無ければ、ＬＥＤランプが点灯し、ブザーが発音し、画像表示パネルに「安全装置接続確認」、「ポンプ接続確認」、「火元確認」が表示される。尚、ＬＥＤランプとブザーは、正常な状態以外は常にいっしょに動作して警告を発するので、特殊な場合以外は説明を省略する。また、サーモスタット４８が「開」と認識し、水温計５１からの入力が設定水温以上の場合には、水温計５１が接続されポンプ３８の電源供給コードＣ２が接続されていると判断し、画像表示パネルに「安全装置接続確認」、「火元確認」が表示される。更に、水温計５１からの入力が設定温度〜５９℃になると、画像表示パネルに「安全装置接続確認」、「火元確認」、「やけど注意」が表示される。更に、水温計５１からの入力が６０℃以上になると、画像表示パネルに「安全装置接続確認」、「火元確認」、「やけど注意」、「シャワー禁止」が表示される。
【００８０】
このとき制御ユニット３５でサーモスタット４８が「閉」と認識し、水温計からの信号の入力又はポンプ３８の電気供給が無ければ、サーモスタット４８の接続はあり、熱交換器４６が低温状態にあることが判るので、火元の注意は不要であるが、ポンプ３８の接続が無いと判断し、画像表示パネルに「ポンプ接続確認」が表示される。サーモスタット４８が「閉」と認識し、水温計５１からの入力が設定水温以下の場合には、全て正常であるので、画像表示パネルに水温の数値のみが表示され、ＬＥＤランプとブザーは警告を発しない。更に、水温計５１からの入力が設定温度〜５９℃になると、画像表示パネルに「やけど注意」が表示される。更に、水温計５１からの入力が６０℃以上になると、画像表示パネルに「やけど注意」、「シャワー禁止」が表示される。
【００８１】
＜湯沸しモードにおける警告表示＞
図９に示すように、前記ポンプ３８を前記貯水タンク３７の中に投入した状態で、該ポンプ３８の吐出ホース５４を前記熱交換器４６の入口管５２に接続し、一方の出口管５３には帰還ホース５５を接続し、該帰還ホース５５の端部は前記貯水タンク３７の中に挿入して準備する。そして、主電源がＯＮで、モード選択スイッチは「湯沸し」を選択する。
【００８２】
このとき制御ユニット３５でサーモスタット４８が「開」と認識すれば、サーモスタット４８が接続されてないのか、熱交換器４６が高温状態のあるのか判断できないので、水温計からの入力がいかなる状態でも、画像表示パネルに「安全装置接続確認」、「火元確認」が表示される。尚この場合、空焚きを防止するために、ポンプ３８は作動する。
【００８３】
このとき制御ユニット３５でサーモスタット４８が「閉」と認識し、水温計５１からの信号の入力、及びポンプ３８の電気供給が無ければ、画像表示パネルに「ポンプ接続確認」が表示される。サーモスタット４８が「閉」と認識し、水温計５１からの入力が設定水温以下の場合には、全て正常（熱交換器４６が高温状態でなく、各機器の接続が正常）であるので、画像表示パネルに水温の数値のみが表示され、ＬＥＤランプとブザーは警告を発しない。更に、水温計５１からの入力が設定温度〜５９℃になると、画像表示パネルに「お湯が沸きました」、「やけど注意」、「火を消してください」が表示される。更に、水温計５１からの入力が６０℃以上になると、画像表示パネルに「お湯が沸きました」、「火元確認」、「やけど注意」、「シャワー禁止」が表示され、ブザーからは通常と異なる警告音を発する。
【００８４】
＜シャワーモードにおける警告表示＞
図１０に示すように、前記ポンプ３８の吐出ホース５４を前記熱交換器４６からシャワーノズル３９に繋ぎ変える。前記帰還ホース５５は、外しても外さなくても良い。そして、主電源がＯＮで、モード選択スイッチは「シャワー」を選択する。
【００８５】
このとき制御ユニット３５でサーモスタット４８が「開」と認識し、水温計からの入力が無ければ、画像表示パネルにポンプ接続確認」が表示される。この場合は、前記サーモスタット４８の電源供給コードＣ１を制御ユニット３５から外して、貯水タンク３７と制御ユニット３５をシャワールーム等に移動させる場合であり、加熱ユニット３６から離れていることを想定している。そして、サーモスタット４８が「開」と認識し、水温計５１からの入力が４５℃以下の場合には、ポンプ３８に電力を供給し、全て正常（各機器の接続が正常であり、制御ユニット３５が加熱ユニット３６から離れている。）であるので、画像表示パネルに水温の数値のみが表示される。ポンプ３８に電力を供給するが、ＬＥＤランプとブザーは警告を発しない。更に、水温計５１からの入力が４６℃〜５９℃になると、ポンプ３８に電力を供給するが、ＬＥＤランプとブザーは警告を発し、画像表示パネルに「やけど注意」が表示される。更に、水温計５１からの入力が６０℃以上になると、ポンプ３８への電力供給を停止し、画像表示パネルに「やけど注意」、「シャワー禁止」が表示され、ブザーからは通常と異なる警告音を発する。
【００８６】
このとき制御ユニット３５でサーモスタット４８が「閉」と認識し、水温計からの信号の入力が無ければ、画像表示パネルに「安全装置を外して火元から離れてください」、「ポンプ接続確認」が表示され、ポンプ３８には電力が供給されない。この場合は、前記サーモスタット４８の電源供給コードＣ１を制御ユニット３５に接続したままであることを想定している。そして、サーモスタット４８が「閉」と認識し、水温計５１からの入力が４５℃以下の場合には、ポンプ３８に電力を供給するが、ＬＥＤランプとブザーは警告を発し、画像表示パネルに「安全装置を外して火元から離れてください」が表示される。更に、水温計５１からの入力が４６℃〜５９℃になると、ポンプ３８に電力を供給するが、画像表示パネルに「安全装置を外して火元から離れてください」、「やけど注意」が表示される。更に、水温計５１からの入力が６０℃以上になると、ポンプ３８への電力供給を停止し、画像表示パネルに「安全装置を外して火元から離れてください」、「やけど注意」、「シャワー禁止」が表示され、ブザーからは通常と異なる警告音を発する。
【００８７】
以上、本実施形態の簡易給湯器の制御について説明したが、温度の設定は前記操作パネル４２で適宜変更できることが望ましい。
【産業上の利用可能性】
【００８８】
本発明の簡易給湯器は、災害時等にライフラインが止まった状態、あるいは一部復旧した状態において、屋外で簡易にシャワーを浴びることができ、また湯水を利用することができ、極限状態に置かれた被災者の精神衛生上における効用は大である。また、災害時に限らず、釣り、海水浴、登山、キャンプ等のアウトドアレジャー、建設等の屋外の作業現場、屋外のイベント会場、家庭内での乳幼児やペットの入浴においても、簡易かつ安全に用いる事ができる。
【符号の説明】
【００８９】
１  本体部（筐体）
２  貯水タンク
３  ポンプ
４  制御部
５  熱交換器
６  供給手段
６Ａ  シャワーノズル
６Ｂ  蛇口
７  ３方バルブ（３方電磁バルブ）
８  フロースイッチ
９  外部熱源（カセットコンロ）
１０  吸入口
１１  配管
１２  吐出口
１３  入口側
１４  配管
１５  出口側
１６  配管
１７  配管
１８  出口側
１９  配管（フレキシブルホース）
２０  内部電源
２１  制御パネル
２２  キャスター
２３  注水口
２４  収納部
２５  載置部
２６  水温計
２７  警告装置
２８  水位センサー
２９  水位センサー
３０  メインスイッチ
３１  タンク内水温
３２  設定水温
３３  切り替えスイッチ
３４  接地部
３５  制御ユニット
３６  加熱ユニット
３７  貯水タンク
３８  ポンプ
３９  シャワーノズル（供給手段）
４０  制御基板
４１  バッテリー（電源供給部）
４２  操作パネル
４３  操作スイッチ
４４  警告手段
４５  架台
４６  熱交換器
４７  カセットコンロ（外部熱源）
４８  サーモスタット
４９  筐体
５０  支脚
５１  水温計
５２  入口管
５３  出口管
５４  吐出ホース
５５  帰還ホース
Ｃ１  電源供給コード
Ｃ２  電源供給コード
【図１】
2018044760.tif 000003
【図２】
2018044760.tif 000004
【図３】
2018044760.tif 000005
【図４】
2018044760.tif 000006
【図５】
2018044760.tif 000007
【図６】
2018044760.tif 000008
【図７】
2018044760.tif 000009
【図８】
2018044760.tif 000010
【図９】
2018044760.tif 000011
【図１０】
2018044760.tif 000012